(57)【特許請求の範囲】
【請求項１】
シャワーヘッドの前方に設けられ、前記シャワーヘッドの内部流路を通過した流体を外部に吐出する複数の散水孔を備える散水板において、
前記散水板に形成された複数の散水孔を含む複数の散水孔アレイは、
開口部の円周方向に沿って一定の間隔をあけて設けられて開口部の内側に拡張した複数の方向転換部、および前記開口部から外部に噴射される流体の流路面積が拡大するように前記開口部の外側境界面が連続する形態からなる複数の拡張噴射部が形成された中央拡張孔と、
前記中央拡張孔の外側に円周方向にそって一定の間隔をあけて配置され、開口部の内側に拡張した方向転換部が前記中央拡張孔の反対側に形成されて前記開口部を経由しながら流体の流路を前記中央拡張孔側に転換させる複数の周辺収斂孔と、
を含んでなる散水板。
【請求項２】
前記複数の周辺収斂孔は、前記中央拡張孔の中心からの前記拡張噴射部の延長線上に配置されることを特徴とする請求項１に記載の散水板。
【請求項３】
前記周辺収斂孔は、前記中央拡張孔の拡張噴射部に対応する数だけ設けられることを特徴とする請求項１に記載の散水板。
【請求項４】
シャワーヘッドの前方に設けられ、前記シャワーヘッドの内部流路を通過した流体を外部に吐出する散水板において、
前記散水板は複数の散水孔を備え、前記複数の散水孔のいずれは、開口部の内側に拡張した複数の方向転換部が前記開口部の円周方向に沿って一定の間隔をあけて設けられ、前記開口部を通過して外部に噴射される流体の流路面積を拡大するために外側境界面が連続する形態からなる複数の拡張噴射部が形成された拡張孔を備える散水板。
【請求項５】
前記拡張孔はクローバー状からなることを特徴とする請求項４に記載の散水板。
【発明の詳細な説明】
【技術分野】
【０００１】
本発明はシャワーの散水板に関し、より詳しくは、吐出された流体の流路面積が拡大されるように形成した微細な散水孔を有するプレート状の散水板に関する。
【背景技術】
【０００２】
一般的に、シャワーは冷水または温水を撒く水撒き状の噴射装置であり、浴室、シンク、浴槽等の家庭用、およびボディシャワー器、ウォータープール、軟水器、浴槽等の業務用によく使われる。
【０００３】
また、このようなシャワーはシッティング型とスタンディング型に分けることができ、それにより、形態が変更される。
【０００４】
ホースから供給された冷水または温水がシャワーヘッド本体の内部流路を通過し、散水板に形成された多数の散水孔から外部に噴射されることにより、ユーザがシャワーを浴びることができる。
【０００５】
なお、最近、節水のための節水用シャワーでは、ヘッド部の内部に出口側の直径を縮小した縮径部を設けることにより節水効果を得ているが、この場合、縮径部を設けるために別の部品が必要となり、製造コストが上がる問題がある。
【０００６】
また、節水効果のために、散水板の散水孔の数を減らすか、または散水孔の直径を縮小することもあるが、この場合、シャワー時にユーザに適切量の水供給が行われないか、またはシャワー時間が長くなり、結局、節水効果がなくなる。
【０００７】
特に、散水孔の直径が小さくなると、節水効果とともに、マイナスイオンの発生が増加するが、この場合、ユーザがシャワーの効果を十分に感じることができず散水圧を高くすることになり、結局、節水効果がなくなる。
【０００８】
よって、本発明の出願人は、図１および図２に示すように、シャワーヘッド１００の前方に設けられた薄板状の散水板３００に小径の微細な散水孔３１０、および前記散水孔３１０の外側に設けられ前記散水板３００から一方が凹んだ凹四角形状の散水孔３３０を備えたシャワー用散水板を、韓国登録特許第０８６７４８６号に開示している。
【０００９】
このようなシャワー用散水板では、図２に示すように、前記シャワーヘッド１００の内部流路を通過して前記散水孔３１０から噴射される流体Ｗ１と、前記シャワーヘッド１００の内部流路を通過して前記凹四角形状の散水孔３３０
から噴射される流体Ｗ２とによって、より広い領域に噴射することができる。
【００１０】
また、図示していないが、前記凹四角形状の散水孔３３０の凹んだ部分３３１の方向が逆になると、流体が開口した部分３３３に噴射されながら流体の方向を変更させて、狭い領域への噴射も可能になっている。
【００１１】
しかし、このようなシャワー用散水板は平板状であり、前記平板状の散水板３００に小径の微細な散水孔３１０を設けたことにより、節水効果、マイナスイオンの生成および流体の噴射角度に影響を及ぼす効果は得られるが、前記散水板３００から吐出される前記流体の圧力が強く、また前記散水孔３１０、３３０の直径が小さいことにより外部に噴射される流体の流路面積が小さいことから、ユーザがひりひりと痛みを感じることがある。
【発明の概要】
【発明が解決しようとする課題】
【００１２】
上記事情に鑑み、本発明は、複数の散水孔を含む複数の散水孔アレイが備えられた散水板において、前記散水孔アレイを介して外部に吐出される流体の流路面積を拡大して、節水効果とともに、噴射圧が高くなってもユーザがひりひり痛みを感じない散水板を提供することを目的としている。
【課題を解決するための手段】
【００１３】
上記目的を達成するため、本発明の一実施形態によれば、シャワーヘッドの前方に設けられ、前記シャワーヘッドの内部流路を通過した流体を外部に吐出する複数の散水孔を備える散水板であって、前記散水板に形成された複数の散水孔を含む複数の散水孔アレイは、開口部の円周方向に沿って一定の間隔をあけて設けられて開口部の内側に拡張した複数の方向転換部、および前記開口部から外部に噴射される流体の流路面積が拡大するように前記開口部の外側境界面が連続する形態からなる複数の拡張噴射部が形成された中央拡張孔と、前記中央拡張孔の外側に円周方向にそって一定の間隔をあけて配置され、開口部の内側に拡張した方向転換部が前記中央拡張孔の反対側に形成されて前記開口部を経由しながら流体の流路を前記中央拡張孔側に転換させる複数の周辺収斂孔と、を含んでなる散水板を提供する。
【００１４】
この実施形態による複数の周辺収斂孔は、前記中央拡張孔の中心からの前記拡張噴射部の延長線上に配置することができる。
【００１５】
また、前記周辺収斂孔は、前記中央拡張孔の拡張噴射部に対応する数だけ設けることができる。
【００１６】
本発明の他の実施形態によれば、シャワーヘッドの前方に設けられ、前記シャワーヘッドの内部流路を通過した流体を外部に吐出する散水板であって、前記散水板は複数の散水孔を備え、前記複数の散水孔のいずれは、開口部の内側に拡張した複数の方向転換部が前記開口部の円周方向に沿って一定の間隔をあけて設けられ、前記開口部を通過して外部に噴射される流体の流路面積を拡大するために外側境界面が連続する形態からなる複数の拡張噴射部が形成された拡張孔を備える散水板を提供する。
【００１７】
この実施形態によれば、前記拡張孔はクローバー状である。
【発明の効果】
【００１８】
このような本発明による散水板は、次の効果を有する。
【００１９】
第一に、吐出された流体を１つの流れにする散水孔アレイを複数配置することにより、少量の流体が供給されてもユーザは十分な量の流体が供給されているように感じることができる。よって、ユーザが使用する流体の実際量が減少し、節水効果が得られる。
【００２０】
また、吐出された流体が１つの流れになるように散水孔アレイが形成されたことにより、各々の散水孔の直径が小さくなり、マイナスイオンの放出量を大きくすることができる。
【００２１】
第二に、外部に吐出される流体の流路面積を大きくする複数の拡張噴射部が形成された散水孔が備えられたことにより、流体供給圧が高くなってもユーザは柔らかさを感じることができる。
【図面の簡単な説明】
【００２２】
【図１】従来発明による散水板の拡大図である。
【図２】図１の散水板が備えられたシャワーの使用状態図である。
【図３】本発明による散水板が備えられたシャワーの分解斜視図である。
【図４】本発明の一実施形態による散水板の拡大図である。
【図５】図４の散水板を介して噴射される流体の状態を誇張して示した図である。
【図６】本発明の他の実施形態による散水板の拡大図である。
【発明を実施するための形態】
【００２３】
以下、添付図面を参照しながら、本発明の目的を具体的に実現できる本発明の好ましい実施形態を説明する。なお、実施形態の説明において、同じ構成要素には同じ名称および符号を用いて、それらの重複する説明を省略する。
【００２４】
まず、図３を参照しながら、本発明による散水板が設けられたシャワーの構成を説明する。ここで、図３は、本発明による散水板が備えられたシャワーの分解斜視図である。
【００２５】
本発明による散水板が設けられたシャワーは、シャワーヘッド１０、散水板３０、Ｏリング４０、およびヘッドキャップ２０を備えて構成される。
【００２６】
なお、図示していないが、前記シャワーヘッド１０の内部には流体が流動できる内部流路が設けられている。
【００２７】
また、前記シャワーヘッド１０の内部には前記内部流路を通過する流体に含まれている異物質を除去できるフィルターが設けられている。
【００２８】
前記シャワーヘッド１０の内部流路を通過した流体は、前記シャワーヘッド１０の前方に設けられ、複数の散水孔３２０、３４０を有する前記散水板３０から外部に吐出される。
【００２９】
このように流体が前記散水板３０から外部に吐出される過程において、前記流体が前記散水板３０と前記シャワーヘッド１０との間に流出することを防止するために、Ｏリング４０が設けられている。
【００３０】
前記ヘッドキャップ２０は、前記シャワーヘッド１０内部への前記散水板３０およびＯリング４０の結合後、前記シャワーヘッド１０に結合されて、外観だけではなく、前記散水板３０およびＯリング４０を保護する。
【００３１】
図３ではシッティング型シャワーヘッドを例示しているが、これに限られず、用途によって様々な形態で形成することができる。
【００３２】
以下、図４および図５を参照しながら、本発明の一実地形態による散水板を説明する。ここで、図４は本発明の一実施形態による散水板の拡大図であり、図５は図４の散水板から吐出される流体の状態を誇張して示した状態図である。
【００３３】
前記散水板３０は、上述したように、前記シャワーヘッド１０の前方に設けられて、前記シャワーヘッド１０の内部流路を通過した流体を外部に吐出する役割をする。
【００３４】
なお、前記散水板３０には、図４に示すように、複数の散水孔３２０、３４０を含む複数の散水孔アレイ３２が形成されている。
【００３５】
この実施形態による散水孔アレイ３２は、開口部３２６の円周方向に沿って一定の間隔をあけて設けられて開口部３２６の内側に拡張した複数の方向転換部３２２、および前記開口部３２６から外部に噴射される流体の流路面積が拡大するように前記開口部３２６の外側境界面が連続する形態からなる複数の拡張噴射部３２４が形成された中央拡張孔３２０と、前記中央拡張孔３２０の外側に円周方向にそって一定の間隔をあけて配置され、開口部３４４の内側に拡張した方向転換部３４２が前記中央拡張孔３２０の反対側に形成されて前記開口部３４４を経由しながら流体の流路を前記中央拡張孔３２０側に転換させる複数の周辺収斂孔３４０と、を含んでなる。
【００３６】
ここで、前記複数の周辺収斂孔３４０は、前記中央拡張孔３２０の中心から前記拡張噴射部３２４への延長線上に配設される。
【００３７】
これにより、前記周辺収斂孔３４０から外部に吐出される流体と、前記中央拡張孔３２０から吐出される流体とが、１つの流れになる。かかる作用に関しては図５を参照してより詳しく説明する。
【００３８】
また、前記周辺収斂孔３４０は、前記中央拡張孔３２０の拡張噴射部３２４に対応する数だけ設けられる。
【００３９】
図４には、前記中央拡張孔３２０の拡張噴射部３２４が４つであり、前記周辺収斂孔３４０が前記拡張噴射部３２４に対応して４つ設けられていることが例示されているが、これに限られず、前記中央拡張孔３２０の拡張噴射部３２４の数に応じて前記周辺収斂孔３４０の数を変更することができる。
【００４０】
なお、図４では、前記周辺収斂孔３４０の基本となる散水孔が円形であることを例示しているが、これに限られず、前記周辺収斂孔３４０はハート状または三角形状の基本散水孔に形成された凹四角形状等様々な形態で形成することができる。
【００４１】
また、前記中央拡張孔３２０は、上述したように、複数の方向転換部３２２が前記開口部３２６の円周方向に沿って一定の間隔をあけて設けられたことにより、前記シャワーヘッド１０の内部流路を通過した流体が前記中央拡張孔３２０から吐出される過程において、前記複数の方向転換部３２２によって形成された前記拡張噴射部３２４から噴射される流体の噴射量が増加して、前記流体が外部に吐出される流路面積を拡大する。
【００４２】
また、前記周辺収斂孔３４０は、前記中央拡張孔３２０の反対側の方向転換部３４２が開口部３４４の内側に拡張する。
【００４３】
これにより、前記周辺収斂孔３４０から吐出される前記流体は、前記方向転換部３４２によって前記中央拡張孔３２０の法線方向に噴射される。
【００４４】
以下、図５を参照しながら、前記シャワーヘッド１０の内部流路を通過した流体が前記散水板３０から噴射される過程を説明する。
【００４５】
前記中央拡張孔３２０から外部に噴射される前記流体は、Ａ１のように前記拡張噴射部３２４により流路面積が拡大される。
【００４６】
また、前記中央拡張孔３２０を中心として前記散水孔アレイ３２を構成する前記周辺収斂孔３４０から外部に噴射される前記流体は、前記中央拡張孔３２０から噴射される前記流体を向いてＢ１の方向に傾いて噴射されて１つの流れに合致される。
【００４７】
このように１つの散水孔アレイ３２から噴射される前記流体は、図５に示すように、前記中央拡張孔３２０によって外部に噴射される前記流体の流路面積Ｗが拡大し、前記周辺収斂孔３４０によって１つの流れ(Ａ１＋Ａ２)に合致される。
【００４８】
したがって、１つの散水孔アレイ３２によって流体が１つの流れになって噴射されることにより、少量の流体が供給されてもユーザに十分な流量を提供することができ、前記中央拡張孔３２０により流路面積Ｗが拡大されたことにより、ユーザがひりひりとした痛みを感じないことになる。
【００４９】
上述したように、この実施形態による散水板３０を有するシャワーは、前記散水孔アレイ３２の断面積が狭いためマイナスイオンの放出量が増加し、節水効果ともに、流体の噴射圧が高くてもユーザが柔らかな噴射感を感じることができる。
【００５０】
以下、図６を参照しながら、本発明の他の実施形態による散水板を説明する。ここで、図６は本発明の他の実施形態による散水板の拡大図である。
【００５１】
前記散水板６０は、図３のシャワーヘッド１０の前方に設けられ、前記シャワーヘッド１０の内部流路を通過した流体を外部に吐出する役割をする。
【００５２】
前記散水板６０は複数の散水孔６２，６４を備え、前記複数の散水孔６２，６４のいずれは、開口部の内側に拡張した複数の方向転換部６２２が前記開口部の円周方向に沿って一定の間隔をあけて設けられ、前記開口部を通過しながら流体の流路面積を拡大するために外側境界面が連続する形態からなる複数の拡張噴射部６２４が設けられた拡張孔６２を備える。
【００５３】
前記散水板６０に形成された複数の散水孔６２，６４のいずれかが拡張孔６２で形成されることにより、前記シャワーヘッド１０の内部流路を通過した前記流体が前記散水板６０から外部に噴射されたとき、前記流体の流路面積が拡大する効果がある。
【００５４】
図６では、前記拡張孔６２が３つの拡張噴射部６２４を有するクローバー状であることを例示しているが、これに限られず、拡張噴射部６２４の数は金型に応じて異なる。
【００５５】
また、図６は、前記散水板６０に円形に並んだ散水孔６４と拡張孔６２とが交互に設けられたことを例示しているが、前記散水板６０に形成された複数の散水孔６２，６４がいずれも拡張孔６２であることもできる。
【００５６】
以上、本発明を実施形態を用いて説明したが、本発明の技術的範囲は上記実施形態に記載の範囲には限定されない。上記実施形態に多様な変更を加えることが可能であることが本発明が属した分野の通常の知識を有する者に明らかであり、そのような変更を加えた形態も本発明の技術的範囲に含まれ得ることが請求範囲の記載から明らかである。
【符号の説明】
【００５７】
１０    シャワーヘッド
２０    ヘッドキャップ
３０，６０  散水板
３２    散水孔アレイ
４０    Ｏリング
６２    拡張孔
６４    散水孔
３２０  中央拡張孔
３２２，３４２，６２２  方向転換部
３２４  拡張噴射部
３２６，３４４  開口部
３４０  周辺収斂孔
【図１】
0005254496.tif 000002
【図２】
0005254496.tif 000003
【図３】
0005254496.tif 000004
【図４】
0005254496.tif 000005
【図５】
0005254496.tif 000006
【図６】
0005254496.tif 000007